【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
少なくとも第１および第２のサテライトを長さに沿って有するリード線とともに使用する方法であって、各サテライトは、そこに通信可能に連結される少なくとも２つの電極を有し、前記リード線は、前記サテライトに連結される少なくとも１つの導体を有し、前記リード線に沿って、前記サテライトに連結される電極の総数は、前記リード線内の導体の数を超え、前記方法は、
前記リード線に沿って前記サテライトに伝送される制御信号を用いて、前記サテライト内の固体スイッチを閉鎖し、前記少なくとも第１のサテライトにおける少なくとも１つの電極を前記少なくとも１つの導体に短絡させ、同時に、前記少なくとも第２のサテライトにおける少なくとも１つの電極を前記少なくとも１つの導体に短絡させ、それによって、前記少なくとも第１のサテライトにおける前記少なくとも１つの電極が、前記少なくとも第２のサテライトにおける前記少なくとも１つの電極に短絡されるステップと、
前記少なくとも第２のサテライトにおける前記少なくとも１つの電極への前記少なくとも第１のサテライトにおける前記少なくとも１つの電極の前記短絡を中止するステップと、選択された電極に前記リード線に沿って電気刺激を伝送するステップと、
前記選択された電極への前記リード線に沿った刺激信号の前記伝送を中止するステップと、前記リード線に沿って前記サテライトに伝送される制御信号を用いて、前記サテライト内の固体スイッチを閉鎖し、前記少なくとも第１のサテライトにおける少なくとも１つの電極を前記少なくとも１つの導体に短絡させ、同時に、前記少なくとも第２のサテライトにおける少なくとも１つの電極を前記少なくとも１つの導体に短絡させ、それによって、前記少なくとも第１のサテライトにおける前記少なくとも１つの電極が、前記少なくとも第２のサテライトにおける前記少なくとも１つの電極に短絡されるステップと、
前記少なくとも第２のサテライトにおける前記少なくとも１つの電極への、前記少なくとも第１のサテライトにおける前記少なくとも１つの電極の前記短絡を中止するステップと、
を含む、方法。
【請求項２】
前記選択された電極は、前記少なくとも第１のサテライトの前記少なくとも１つの電極と同一である、請求項１に記載の方法。
【請求項３】
少なくとも第１および第２のサテライトを長さに沿って有するリード線とともに使用する方法であって、各サテライトは、そこに通信可能に連結される少なくとも２つの電極を有し、前記リード線は、前記サテライトに連結される少なくとも１つの導体を有し、前記リード線に沿って、前記サテライトに連結される電極の総数は、前記リード線内の導体の数を超え、前記方法は、
前記リード線に沿って前記サテライトに伝送される制御信号を用いて、前記サテライト内の固体スイッチを閉鎖し、前記少なくとも第１のサテライトにおける第１の少なくとも１つの電極を、前記少なくとも第１のサテライトにおける第２の少なくとも１つの電極に短絡させるステップと、
前記少なくとも第１のサテライトにおける前記第２の少なくとも１つの電極への前記少なくとも第１のサテライトにおける前記第１の少なくとも１つの電極の前記短絡を中止するステップと、
選択された電極に前記リード線に沿って刺激信号を伝送させるステップと、
前記選択された電極への前記リード線に沿った刺激信号の前記伝送を中止するステップと、
前記リード線に沿って前記サテライトに伝送される制御信号を用いて、前記サテライト内の固体スイッチを閉鎖し、前記少なくとも第１のサテライトにおける第１の少なくとも１つの電極を、前記少なくとも第１のサテライトにおける第２の少なくとも１つの電極に短絡させるステップと、
前記少なくとも第１のサテライトにおける前記第２の少なくとも１つの電極への前記少なくとも第１のサテライトにおける前記第１の少なくとも１つの電極の短絡を中止するステップと、
を含む、方法。
【請求項４】
前記選択された電極は、前記少なくとも第１のサテライトの前記第１の少なくとも１つの電極と同一である、請求項３に記載の方法。
【請求項５】
前記リード線は、その長さに沿って２つの導体を有する、請求項１または３に記載の方法。
【請求項６】
ドライバとともに使用するための方法であって、
前記ドライバは、ワイヤおよびリード線に接続され、
前記リード線は、その長さに沿って少なくとも第１および第２のサテライトを有し、各サテライトは、そこに通信可能に連結される少なくとも２つの電極を有し、前記リード線は、前記サテライトに連結される少なくとも１つの導体を有し、前記リード線に沿って前記サテライトに連結される電極の総数は、前記リード線内の導体の数を超え、前記方法は、
前記リード線に沿って前記サテライトに伝送される制御信号を用いて、第１のサテライト内の固体スイッチを閉鎖し、前記第１のサテライトにおける少なくとも１つの電極を前記少なくとも１つの導体に短絡させ、同時に、前記ドライバ内のスイッチを用いて、前記ワイヤを前記少なくとも１つの導体に短絡させ、それによって、前記第１のサテライトにおける前記少なくとも１つの電極は、前記ワイヤに短絡される、ステップと、
前記ワイヤへの前記第１のサテライトにおける前記少なくとも１つの電極の前記短絡を中止するステップと、
選択された電極に前記リード線に沿って刺激信号を伝送するステップと、
前記選択された電極への前記リード線に沿った刺激信号の前記伝送を中止するステップと、
前記サテライトに前記リード線に沿って伝送された制御信号を用いて、前記第１のサテライト内の固体スイッチを閉鎖し、前記第１のサテライトにおける少なくとも１つの電極を前記少なくとも１つの導体に短絡させ、同時に、前記ドライバ内のスイッチを用いて、前記ワイヤを前記少なくとも１つの導体に短絡させ、それによって、前記第１のサテライトにおける前記少なくとも１つの電極が前記ワイヤに短絡される、ステップと、
前記ワイヤへの前記第１のサテライトにおける前記少なくとも１つの電極の短絡を中止するステップと、
を含む、方法。
【請求項７】
前記リード線は、その長さに沿って２つの導体を有する、請求項６に記載の方法。
【請求項８】
ドライバとともに使用するための方法であって、
前記ドライバは、伝導性筐体を有し、リード線に接続され、
前記リード線は、その長さに沿って少なくとも第１および第２のサテライトを有し、各サテライトは、それらに通信可能に連結される少なくとも２つの電極を有し、前記リード線は、前記サテライトに連結される少なくとも１つの導体を有し、前記リード線に沿って前記サテライトに連結される電極の総数は、前記リード線内の導体の数を超え、前記方法は、
前記サテライトに前記リード線に沿って伝送された制御信号を用いて、第１のサテライト内の固体スイッチを閉鎖し、前記第１のサテライトにおける少なくとも１つの電極を前記少なくとも１つの導体に短絡させ、同時に、前記ドライバ内のスイッチを用いて、前記筐体を前記少なくとも１つの導体に短絡させ、それによって、前記第１のサテライトにおける前記少なくとも１つの電極は、前記筐体に短絡される、ステップと、
前記筐体への前記第１のサテライトにおける前記少なくとも１つの電極の短絡を中止するステップと、
選択された電極に前記リード線に沿って刺激信号を伝送するステップと、
前記選択された電極への前記リード線に沿った刺激信号の前記伝送を中止するステップと、前記サテライトに前記リード線に沿って伝送された制御信号を用いて、前記第１のサテライト内の固体スイッチを閉鎖し、前記第１のサテライトにおける少なくとも１つの電極を前記少なくとも１つの導体に短絡させ、同時に、前記ドライバ内のスイッチを用いて、前記筐体を前記少なくとも１つの導体に短絡させ、それによって、前記第１のサテライトにおける前記少なくとも１つの電極が、前記筐体に短絡される、ステップと
前記筐体への前記第１のサテライトにおける前記少なくとも１つの電極の前記短絡を中止するステップと、
を含む、方法。
【請求項９】
前記リード線は、その長さに沿って２つの導体を含む、請求項８に記載の方法。
【請求項１０】
ドライバを備えるシステムであって、
前記ドライバは、各接続点においてリード線およびワイヤに接続可能であり、
前記リード線は、その長さに沿って少なくとも１つの導体を有し、かつ前記導体に接続されるその長さに沿って少なくとも１つのチップを有し、前記チップは、少なくとも２つの電極に接続され、電極の数は、前記リード線の長さに沿った導体の数を超え、
前記チップは、各電極を、前記リード線の前記少なくとも１つの導体に制御可能および選択可能に接続するスイッチを備え、
前記ドライバは、前記ワイヤの前記接続点を、前記リード線の前記少なくとも１つの導体の前記接続点に制御可能および選択可能に接続するスイッチを備え、
前記ドライバは、前記ワイヤの前記接続点を、前記リード線の前記少なくとも１つの導体の前記接続点に接続するように、前記ドライバの前記スイッチを同時に制御しながら、前記電極のうちの少なくとも１つを、前記リード線の前記少なくとも１つの導体に接続するように、前記チップの前記スイッチを制御する手段を含む、
システム。
【請求項１１】
前記リード線は、無菌包装されている、請求項１０に記載のシステム。
【請求項１２】
前記ドライバは、無菌包装されている、請求項１１に記載のシステム。
【請求項１３】
ドライバを備えるシステムであって、
前記ドライバは、接続点においてリード線に接続可能であり、伝導性筐体を有し、
前記リード線は、その長さに沿って少なくとも１つの導体を有し、かつ前記導体に接続されるその長さに沿って少なくとも１つのチップを有し、前記チップは、少なくとも２つの電極に接続され、電極の数は、前記リード線の長さに沿った導体の数を超え、
前記チップは、各電極を、前記リード線の前記少なくとも１つの導体に制御可能および選択可能に接続するスイッチを備え、
前記ドライバは、前記伝導性筐体を、前記リード線の前記少なくとも１つの導体の前記接続点に制御可能および選択可能に接続するスイッチを備え、
前記ドライバは、前記伝導性筐体を、前記リード線の前記少なくとも１つの導体の前記接続点に接続するように、前記ドライバの前記スイッチを同時に制御しながら、前記電極のうちの少なくとも１つを、前記リード線の前記少なくとも１つの導体に接続するように、前記チップの前記スイッチを制御するための手段を含む、
システム。
【請求項１４】
前記リード線は、無菌包装されている、請求項１３に記載のシステム。
【請求項１５】
前記ドライバは、無菌包装されている、請求項１４に記載のシステム。
【請求項１６】
リード線およびワイヤとともに使用するためのドライバであって、前記リード線は、少なくとも１つの導体を有する種類であり、かつ前記リード線が、制御信号に応じて電極に前記少なくとも１つの導体を選択的に接続する制御信号を受信し、
前記ドライバは、各接続点において前記リード線および前記ワイヤに接続可能であり、
前記ドライバは、前記ワイヤの前記接続点を、前記リード線の前記少なくとも１つの導体の前記接続点に制御可能および選択可能に接続するスイッチを備え、
前記ドライバは、前記ワイヤの前記接続点を、前記リード線の前記少なくとも１つの導体の前記接続点に接続するように、前記ドライバの前記スイッチを同時に制御しながら、前記電極を、前記リード線の前記少なくとも１つの導体に接続するように、前記リード線を制御するために配置される制御信号を送信するための手段を含む、
ドライバ。
【請求項１７】
前記ドライバは、無菌包装されている、請求項１６に記載のシステム。
【請求項１８】
リード線とともに使用するためのドライバであって、前記ドライバは、伝導性筐体を有し、前記リード線は、少なくとも１つの導体を有する種類であり、かつ前記リード線が制御信号に応じて電極に前記少なくとも１つの導体を選択的に接続する制御信号を受信し、
前記ドライバは、各接続点において前記リード線に接続可能であり、
前記ドライバは、前記伝導性筐体を、前記リード線の前記少なくとも１つの導体の前記接続点に制御可能および選択可能に接続するスイッチを備え、
前記ドライバは、前記伝導性筐体を、前記リード線の前記少なくとも１つの導体の前記接続点に接続するように、前記ドライバの前記スイッチを同時に制御しながら、前記電極を、前記リード線の前記少なくとも１つの導体に接続するように、前記リード線を制御するために配置される制御信号を送信するための手段を含む、
ドライバ。
【請求項１９】
前記ドライバは、無菌包装されている、請求項１８に記載のシステム。
【手続補正２】
【補正対象書類名】明細書
【補正対象項目名】００１３
【補正方法】変更
【補正の内容】
【００１３】
本発明は、例えば、以下の項目も提供する。
（項目１）
１つもしくは複数の変動パラメータをプログラム可能に制御するための１つもしくは複数のリード集積回路と、
電気刺激を提供するための１つもしくは複数の電極であって、各電極は、前記リード集積回路のうちのうちの少なくとも１つによって個々にアドレス指定可能であり、少なくとも１つの変動パラメータによって制御される、電極と、
を備える、デバイス。
（項目２）
前記変動パラメータは、電圧変動パラメータ、スペクトラム拡散変動パラメータ、ペーシング変動パラメータ、遅延変動パラメータ、周波数変動パラメータ、間隔変動パラメータ、振幅変動パラメータ、成分変動パラメータ、状態変動パラメータ、阻止変動パラメータ、電位変動パラメータ、および焦点変動パラメータから本質的に成る群より選択される、項目１に記載のデバイス。
（項目３）
前記電圧変動パラメータは、１つもしくは複数の電極に関連する、電圧を変化させることを含む、項目２に記載のデバイス。
（項目４）
前記ペーシング変動パラメータは、電気刺激のペースを擬似乱数的に変化させることを含む、項目２に記載のデバイス。
（項目５）
前記状態変動パラメータは、１つもしくは複数の電極を選択的に起動または無効化することを含む、項目２に記載のデバイス。
（項目６）
前記成分変動パラメータは、前記リード集積回路による、前記１つもしくは複数の電極の個々のアドレス指定能力を含む、項目２に記載のデバイス。
（項目７）
前記電極は、セグメント電極サテライトとして構成される、項目６に記載のデバイス。
（項目８）
前記セグメント電極サテライトは、４セグメント電極および６セグメント電極のうちの少なくとも１つを含む、項目７に記載のデバイス。
（項目９）
前記電極は、電極アレイに構成される、項目６に記載のデバイス。
（項目１０）
前記電極アレイは、複数のアレイのアレイを含む、項目９に記載のデバイス。
（項目１１）
前記焦点変動パラメータは、第２の電極群に関連する中立電圧を維持しながら、第１の電極群に関連する正または負の電圧を交互に切り替えることを含む、項目２に記載のデバイス。
（項目１２）
前記１つもしくは複数の変動パラメータのうちの少なくとも１つは、乱数生成スキームおよび擬似乱数生成スキームから成る群より選択されるスキームを介して生成される、項目１に記載のデバイス。
（項目１３）
前記１つもしくは複数のリード集積回路に連結されるバスと、
前記バスに接続した電源と、
をさらに備える、項目１に記載のデバイス。
（項目１４）
１つもしくは複数のリード集積回路を用いて１つもしくは複数の変動パラメータをプログラム可能に制御することと、
１つもしくは複数の電極を介して、前記１つもしくは複数の変動パラメータに基づき、各電極が、前記リード集積回路のうちの少なくとも１つによって、個々にアドレス指定可能である、電気刺激を生成することと、
を含む、方法。
（項目１５）
前記変動パラメータは、電圧変動パラメータ、スペクトラム拡散変動パラメータ、ペーシング変動パラメータ、遅延変動パラメータ、周波数変動パラメータ、間隔変動パラメータ、振幅変動パラメータ、成分変動パラメータ、状態変動パラメータ、阻止変動パラメータ、電位変動パラメータ、および焦点変動パラメータから実質的に成る群より選択される、項目１４に記載の方法。
（項目１６）
前記電圧変動パラメータは、１つもしくは複数の電極に関連する電圧を変化させることを含む、項目１５に記載の方法。
（項目１７）
前記ペーシング変動パラメータは、電気刺激のペースを擬似乱数的に変化させることを含む、項目１５に記載の方法。
（項目１８）
前記状態変動パラメータは、１つもしくは複数の電極を選択的に起動または無効化することを含む、項目１５に記載の方法。
（項目１９）
前記成分変動パラメータは、前記リード集積回路による前記１つもしくは複数の電極の個々のアドレス指定能力を含む、項目１５に記載の方法。
（項目２０）
前記電極は、セグメント電極サテライトとして構成される、項目１９に記載の方法。
（項目２１）
前記セグメント電極サテライトは、４セグメント電極および６セグメント電極のうちの少なくとも１つを含む、項目２０に記載の方法。
（項目２２）
前記電極は、電極アレイに構成される、項目１９に記載の方法。
（項目２３）
前記電極アレイは、複数のアレイのアレイを含む、項目２２に記載の方法。
（項目２４）
前記焦点変動パラメータは、第２の電極群に関連する中立電圧を維持しながら、第１の電極群に関連する正または負の電圧を交互に切り替えることを含む、項目１５に記載の方法。
（項目２５）
前記１つもしくは複数の変動パラメータのうちの少なくとも１つは、乱数生成スキームおよび擬似乱数生成スキームから成る群より選択されるスキームを介して生成される、項目１４に記載の方法。
（項目２６）
１つもしくは複数のリード集積回路であって、各リード集積回路は、
１つもしくは複数の変動パラメータをプログラム可能に制御するためのプログラミングモジュールと、１つもしくは複数の電極とを有し、各電極は、前記リード集積回路のうちの少なくとも１つによって個々にアドレス指定可能であり、少なくとも１つの変動パラメータによって制御される、リード集積回路を備える、システム。
（項目２７）
少なくとも第１および第２のサテライトを長さに沿って有するリード線とともに使用する方法であって、各サテライトは、そこに通信可能に連結される少なくとも２つの電極を有し、前記リードは、前記サテライトに連結される少なくとも１つの導体を有し、前記リード線に沿って、前記サテライトに連結される電極の総数は、前記リード線内の導体の数を超え、前記方法は、
前記リード線に沿って前記サテライトに伝送される制御信号を用いて、前記サテライト内の固体スイッチを閉鎖し、前記少なくとも第１のサテライトにおける少なくとも１つの電極を前記少なくとも１つの導体に短絡させ、同時に、前記少なくとも第２のサテライトにおける少なくとも１つの電極を前記少なくとも１つの導体に短絡させ、それによって、前記少なくとも第１のサテライトにおける前記少なくとも１つの電極が、前記少なくとも第２のサテライトにおける前記少なくとも１つの電極に短絡されるステップと、
前記少なくとも第２のサテライトにおける前記少なくとも１つの電極への前記少なくとも第１のサテライトにおける前記少なくとも１つの電極の前記短絡を中止するステップと、選択された電極に前記リードに沿って電気刺激を伝送するステップと、
前記選択された電極への前記リードに沿った刺激信号の前記伝送を中止するステップと、前記リードに沿って前記サテライトに伝送される制御信号を用いて、前記サテライト内の固体スイッチを閉鎖し、前記少なくとも第１のサテライトにおける少なくとも１つの電極を前記少なくとも１つの導体に短絡させ、同時に、前記少なくとも第２のサテライトにおける少なくとも１つの電極を前記少なくとも１つの導体に短絡させ、それによって、前記少なくとも第１のサテライトにおける前記少なくとも１つの電極が、前記少なくとも第２のサテライトにおける前記少なくとも１つの電極に短絡されるステップと、
前記少なくとも第２のサテライトにおける前記少なくとも１つの電極への、前記少なくとも第１のサテライトにおける前記少なくとも１つの電極の前記短絡を中止するステップと、
を含む、方法。
（項目２８）
前記選択された電極は、前記少なくとも第１のサテライトの前記少なくとも１つの電極と同一である、項目２７に記載の方法。
（項目２９）
少なくとも第１および第２のサテライトを長さに沿って有するリード線とともに使用する方法であって、各サテライトは、そこに通信可能に連結される少なくとも２つの電極を有し、前記リード線は、前記サテライトに連結される少なくとも１つの導体を有し、前記リードに沿って、前記サテライトに連結される電極の総数は、前記リード線内の導体の数を超え、
前記リード線に沿って前記サテライトに伝送される制御信号を用いて、前記サテライト内の固体スイッチを閉鎖し、前記少なくとも第１のサテライトにおける第１の少なくとも１つの電極を、前記少なくとも第１のサテライトにおける第２の少なくとも１つの電極に短絡させるステップと、
前記少なくとも第１のサテライトにおける前記第２の少なくとも１つの電極への前記少なくとも第１のサテライトにおける前記第１の少なくとも１つの電極の前記短絡を中止するステップと、
選択された電極に前記リード線に沿って刺激信号を伝送させるステップと、
前記選択された電極への前記リード線に沿った刺激信号の前記伝送を中止するステップと、
前記リード線に沿って前記サテライトに伝送される制御信号を用いて、前記サテライト内の固体スイッチを閉鎖し、前記少なくとも第１のサテライトにおける第１の少なくとも１つの電極を、前記少なくとも第１のサテライトにおける第２の少なくとも１つの電極に短絡させるステップと、
前記少なくとも第１のサテライトにおける前記第２の少なくとも１つの電極への前記少なくとも第１のサテライトにおける前記第１の少なくとも１つの短絡を中止するステップと、
を含む、方法。
（項目３０）
前記選択された電極は、前記少なくとも第１のサテライトの前記第１の少なくとも１つの電極と同一である、項目２９に記載の方法。
（項目３１）
前記リード線は、その長さに沿って２つの導体を有する、項目２７または２９に記載の方法。
（項目３２）
ドライバとともに使用するための方法であって、
前記ドライバは、ワイヤおよびリード線に接続され、
前記リード線は、その長さに沿って少なくとも第１および第２のサテライトを有し、各サテライトは、そこに連結される少なくとも２つの電極を有し、前記リード線は、前記サテライトに連結される少なくとも１つの導体を有し、前記リードに沿って前記サテライトに連結される電極の総数は、前記リード内の導体の数を超え、前記方法は、
前記リード線に沿って前記サテライトに伝送される制御信号を用いて、第１のサテライト内の固体スイッチを閉鎖し、前記第１のサテライトにおける少なくとも１つの電極を少なくとも１つの導体に短絡させ、同時に、前記ドライバ内のスイッチを用いて、前記ワイヤを少なくとも１つの導体に短絡させ、それによって、前記第１のサテライトにおける前記少なくとも１つの電極は、前記ワイヤに短絡される、ステップと、
前記ワイヤへの前記第１のサテライトにおける前記少なくとも１つの電極の前記短絡を中止するステップと、
選択された電極に前記リードに沿って刺激信号を伝送するステップと、
前記選択された電極への前記リード線に沿った刺激信号の前記伝送を中止するステップと、
前記サテライトに前記リード線に沿って伝送された制御信号を用いて、前記第１のサテライト内の固体スイッチを閉鎖し、前記第１のサテライトにおける少なくとも１つの電極を前記少なくとも１つの導体に短絡させ、同時に、前記ドライバ内のスイッチを用いて、前記ワイヤを少なくとも１つの導体に短絡させ、それによって、前記第１のサテライトにおける前記少なくとも１つの電極が前記ワイヤに短絡される、ステップと、
前記ワイヤへの前記第１のサテライトにおける前記少なくとも１つの電極の短絡を中止するステップと、
を含む、方法。
（項目３３）
前記リード線は、その長さに沿って２つの導体を有する、項目３２に記載の方法。
（項目３４）
前記ワイヤおよび少なくとも１つの電極は、組織と接触している、項目３２に記載の方法。
（項目３５）
ドライバとともに使用するための方法であって、
前記ドライバは、伝導性筐体を有し、リード線に接続され、
前記リード線は、その長さに沿って少なくとも第１および第２のサテライトを有し、各サテライトは、それらに通信可能に連結される少なくとも２つの電極を有し、前記リード線は、前記サテライトに連結される少なくとも１つの導体を有し、前記リードに沿って前記サテライトに連結される電極の総数は、前記リード線内の導体の数を超え、
前記サテライトに前記リード線に沿って伝送された制御信号を用いて、第１のサテライト内の固体スイッチを閉鎖し、前記第１のサテライトにおける少なくとも１つの電極を前記少なくとも１つの導体に短絡させ、同時に、前記ドライバ内のスイッチを用いて、前記筐体を前記少なくとも１つの導体に短絡させ、それによって、前記第１のサテライトにおける前記少なくとも１つの電極は、前記筐体に短絡される、ステップと、
前記筐体への前記第１のサテライトにおける前記少なくとも１つの電極の短絡を中止するステップと、
選択された電極に前記リード線に沿って刺激信号を伝送するステップと、
前記選択された電極への前記リードに沿った刺激信号の前記伝送を中止するステップと、前記サテライトに前記リード線に沿って伝送された制御信号を用いて、前記第１のサテライト内の固体スイッチを閉鎖し、前記第１のサテライトにおける少なくとも１つの電極を前記少なくとも１つの導体に短絡させ、同時に、前記ドライバ内のスイッチを用いて、前記筐体を前記少なくとも１つの導体に短絡させ、それによって、前記第１のサテライトにおける前記少なくとも１つの電極が、前記筐体に短絡される、ステップと
前記筐体への前記第１のサテライトにおける前記少なくとも１つの電極の前記短絡を中止するステップと、
を含む、方法。
（項目３６）
前記リード線は、その長さに沿って２つの導体を含む、項目３５に記載の方法。
（項目３７）
前記筐体および少なくとも１つの電極は、組織と接触している、項目３５に記載の方法。
（項目３８）
ドライバを備えるシステムであって、
前記ドライバは、各接続点においてリード線およびワイヤに接続可能であり、
前記リード線は、その長さに沿って少なくとも１つの導体を有し、かつ前記導体に接続されるその長さに沿って少なくとも１つのチップを有し、前記チップは、少なくとも２つの電極に接続され、電極の数は、前記リード線の長さに沿った導体の数を超え、
前記チップは、各電極を、前記リード線の前記少なくとも１つの導体に制御可能および選択可能に接続するスイッチを備え、
前記ドライバは、前記ワイヤの前記接続点を、前記リード線の前記少なくとも１つの導体の前記接続点に制御可能および選択可能に接続するスイッチを備え、
前記ドライバは、前記ワイヤの前記接続点を、前記リード線の前記少なくとも１つの導体の前記接続点に接続するように、前記ドライバの前記スイッチを同時に制御しながら、前記電極のうちの少なくとも１つを、前記リード線の前記少なくとも１つの導体に接続するように、前記チップの前記スイッチを制御する手段を含む、
システム。
（項目３９）
前記リード線は、無菌包装されている、項目３８に記載のシステム。
（項目４０）
前記ドライバは、無菌包装されている、項目３９に記載のシステム。
（項目４１）
ドライバを備えるシステムであって、
前記ドライバは、接続点においてリード線に接続可能であり、伝導性筐体を有し、
前記リード線は、その長さに沿って少なくとも１つの導体を有し、かつ前記導体に接続されるその長さに沿って少なくとも１つのチップを有し、前記チップは、少なくとも２つの電極に接続され、電極の数は、前記リード線の長さに沿った導体の数を超え、
前記チップは、各電極を、前記リード線の前記少なくとも１つの導体に制御可能および選択可能に接続するスイッチを備え、
前記ドライバは、前記伝導性筐体を、前記リード線の前記少なくとも１つの導体の前記接続点に制御可能および選択可能に接続するスイッチを備え、
前記ドライバは、前記伝導性筐体を、前記リード線の前記少なくとも１つの導体の前記接続点に接続するように、前記ドライバの前記スイッチを同時に制御しながら、前記電極のうちの少なくとも１つを、前記リード線の前記少なくとも１つの導体に接続するように、前記チップの前記スイッチを制御するための手段を含む、
システム。
（項目４２）
前記リード線は、無菌包装されている、項目４１に記載のシステム。
（項目４３）
前記ドライバは、無菌包装されている、項目４２に記載のシステム。
（項目４４）
リード線およびワイヤとともに使用するためのドライバであって、前記リード線は、少なくとも１つの導体を有する種類であり、かつ前記リード線が、制御信号に応じて電極に前記少なくとも１つの導体を選択的に接続する制御信号を受信し、
各接続点において前記リード線および前記ワイヤに接続可能であり、
前記ワイヤの前記接続点を、前記リード線の前記少なくとも１つの導体の前記接続点に制御可能および選択可能に接続するスイッチを備え、
前記ワイヤの前記接続点を、前記リード線の前記少なくとも１つの導体の前記接続点に接続するように、前記ドライバの前記スイッチを同時に制御しながら、前記電極を、前記リード線の前記少なくとも１つの導体に接続するように、前記リード線を制御するために配置される制御信号を送信するための手段を含む、
ドライバ。
（項目４５）
前記ドライバは、無菌包装されている、項目４４に記載のシステム。
（項目４６）
リード線とともに使用するためのドライバであって、前記ドライバは、伝導性筐体を有し、前記リード線は、少なくとも１つの導体を有する種類であり、かつ前記リード線が制御信号に応じて電極に前記少なくとも１つの導体を選択的に接続する制御信号を受信し、各接続点において前記リード線に接続可能であり、
前記伝導性筐体を、前記リード線の前記少なくとも１つの導体の前記接続点に制御可能および選択可能に接続するスイッチを備え、
前記伝導性筐体を、前記リード線の前記少なくとも１つの導体の前記接続点に接続するように、前記ドライバの前記スイッチを同時に制御しながら、前記電極を、前記リード線の前記少なくとも１つの導体に接続するように、前記リード線を制御するために配置される制御信号を送信するための手段を含む、
ドライバ。
（項目４７）
前記ドライバは、無菌包装されている、項目４６に記載のシステム。
上記の構成が例示目的のみであること、および種々の他の構成要素および構成が可能であることが理解されるであろう。